(57)【要約】   １つ又は複数の光ファイバを収容するように構成されたフェルールを有する光コネクタが提供される。フェルールを保持するための内部ハウジングが提供され、この内部ハウジングは、接続方向の遠位端とケーブル方向の近位端とを有している。外側ハウジングは、内側ハウジングを少なくとも部分的に囲んでいる。外側ハウジングを内側ハウジングの遠位端に向かってバイアスさせるために、１つ又は複数の弾性順方向バイアス凸部が、外側ハウジング又は内側ハウジングの１つ又は複数から延びている。弾性順方向バイアス凸部は、内側ハウジング又は外側ハウジングと一体的に形成されていてもよい。
2020519961.tif 000002
【特許請求の範囲】
【請求項１】
１つ又は複数の光ファイバを収容するように構成されたフェルールと；
前記フェルールを保持するように構成され、接続方向の遠位端とケーブル方向の近位端とを有している内側ハウジングと；
前記内側ハウジングを少なくとも部分的に囲んでいる外側ハウジングと；
前記外側ハウジングを前記内側ハウジングの前記遠位端に向かってバイアスさせるために前記外側ハウジング又は前記内側ハウジングの１つ又は複数から延びている１つ又は複数の弾性順方向バイアス凸部と
を備えた光コネクタ。
【請求項２】
前記１つ又は複数の弾性順方向バイアス凸部は、前記内側ハウジングと一体的に形成されている、請求項１に記載の光コネクタ。
【請求項３】
前記１つ又は複数の弾性順方向バイアス凸部は、前記外側ハウジングと一体的に形成されている、請求項１に記載の光コネクタ。
【請求項４】
前記光コネクタはＭＰＯ光コネクタである、請求項１に記載の光コネクタ。
【請求項５】
前記弾性順方向バイアス凸部は、前記外側ハウジングから突出した主要屈曲可能アームを含んでいる、請求項１に記載の光コネクタ。
【請求項６】
前記屈曲可能アームの遠位端は、内側ハウジングのフランジに接触するように構成されている、請求項５に記載の光コネクタ。
【請求項７】
前記外側ハウジングから延びている１つ又は複数の補助屈曲可能アームを更に備えている、請求項５に記載の光コネクタ。
【請求項８】
前記外側ハウジングから延びている前記１つ又は複数の補助屈曲可能アームは、前記主要屈曲可能アームに作用して前記外側ハウジングを前記内側ハウジングの前記遠位端に向かってバイアスさせるための弾性力を高めるように構成されている、請求項７に記載の光コネクタ。
【請求項９】
前記外側ハウジングから延びている前記１つ又は複数の補助屈曲可能アームは、内側ハウジングのフランジに接触するように構成されている、請求項７に記載の光コネクタ。
【請求項１０】
前記弾性順方向バイアス凸部は、前記内側ハウジングから突出した屈曲可能アームを含んでいる、請求項１に記載の光コネクタ。
【請求項１１】
前記屈曲可能アームの遠位端は、外側ハウジングの近位表面に接触するように構成されている、請求項１０に記載の光コネクタ。
【請求項１２】
前記弾性順方向バイアス凸部は、前記内側ハウジングから延びるランプである、請求項１に記載の光コネクタ。
【請求項１３】
前記外側ハウジングが近位方向に引き込まれる際に前記ランプに接触すると開くように構成された屈曲ウィングを更に含んでいる、請求項１２に記載の光コネクタ。
【請求項１４】
前記弾性順方向バイアス凸部は、前記内側ハウジング上に形成された屈曲くさびである、請求項１に記載の光コネクタ。
【請求項１５】
前記外側ハウジングが近位方向に引き込まれると、前記外側ハウジングの近位端が前記屈曲くさびを圧縮する、請求項１４に記載の光コネクタ。
【請求項１６】
前記内側ハウジングの表面にスライド可能に保持された極性変更キーを更に備え、前記極性変更キーは、前記内側ハウジング上に前記極性変更キーを保持するために変形可能な内側ハウジング突起と協働する開口を含んでいる、請求項１に記載の光コネクタ。
【請求項１７】
前記弾性順方向バイアス凸部は、前記外側ハウジングから突出した少なくとも２つの屈曲可能アームを含んでいる、請求項１に記載の光コネクタ。
【請求項１８】
前記少なくとも２つの屈曲可能アームは、内側ハウジングのフランジに接触するように構成されている、請求項１７に記載の光コネクタ。
【請求項１９】
前記外側ハウジングが完全に引き込まれた状態でも前記少なくとも２つの屈曲可能アームの間に隙間が存在している、請求項１８に記載の光コネクタ。
【請求項２０】
複数の光ファイバを収容するように構成されたフェルールであって、前記フェルールの少なくとも１対の対向する外面から延びている段付き部分を含んだフェルールと；
接続方向の遠位端とケーブル方向の近位端とを有し、前記遠位端からフェルールスプリング及び前記フェルールを受け入れるように構成されたワンピースハウジングバックポストとを備え、
前記ハウジングバックポストは、少なくとも１対の対向する内側壁と、側壁から延びて前記フェルールの対応する前記段付き部分と係合する少なくとも１つの弾性変形可能なフェルール保持突起とを有し、前記弾性変形可能なフェルール保持突起は、前記フェルールを前記遠位端から挿入すると前記ハウジングバックポストの内側壁に向かって変形し、前記フェルールが前記ハウジングバックポストに固定されて前記フェルールを前記ハウジングバックポストに保持すると前記フェルールの段付き部分に対して外側に延びるように構成されている、
光コネクタ。
【請求項２１】
本体と前記本体から各々が延びている上部アーム及び下部アームとを有するピンキーパを更に備え、
前記ハウジングバックポストは、前記遠位端から前記ピンキーパを受け入れるように構成され、前記上部アーム及び下部アームは、各々が前記フェルールの上側と下側とを保持して、前記ハウジングバックポストに前記フェルールを保持するように構成されている、
請求項２０に記載のコネクタ。
【請求項２２】
前記ハウジングバックポスト上にスライド可能に保持された極性変更キーを更に備え、前記極性変更キーは、前記ハウジングバックポスト上に前記極性変更キーを保持するために変形可能なハウジングバックポスト突起と協働する開口を含んでいる、請求項２１に記載の光コネクタ。  
【請求項２３】
複数の光ファイバを収容するように構成されたフェルールであって、前記フェルールの少なくとも１対の対向する外面から延びている段付き部分を含んだフェルールと；
接続方向の遠位端とケーブル方向の近位端とを有し、前記遠位端からフェルールスプリング及び前記フェルールを受け入れるように構成されたワンピースハウジングバックポストと；
前記フェルールをハウジングバックポストに保持するために前記ハウジングバックポストの遠位端に配置されたクリップであって、前記ハウジングバックポストの１つ又は複数の側壁開口内に保持された１つ又は複数の突起を含んだクリップと
を備えた光コネクタ。
【請求項２４】
前記クリップは、前記ハウジングバックポストの開口内に保持された１つ又は複数の弾性変形可能なクリップ突起を含んでいる、請求項２３に記載の光コネクタ。
【請求項２５】
前記クリップは、前記フェルールを前記ハウジングバックポスト内に保持するために前記フェルールの前記段付き部分に接触する遠位端から近位端に向かって狭くなる傾斜側壁を含んでいる、請求項２３に記載の光コネクタ。
【請求項２６】
前記ハウジングバックポスト上にスライド可能に保持された極性変更キーを更に備え、前記極性変更キーは、前記ハウジング上に前記極性変更キーを保持するために変形可能なハウジングバックポスト突起と協働する開口を含んでいる、請求項２３に記載の光コネクタ。
【請求項２７】
複数の光ファイバを収容するように構成されたフェルールであって、前記フェルールの少なくとも１対の対向する外面から延びている段付き部分を含んだフェルールと；
接続方向の遠位端とケーブル方向の近位端とを有し、前記遠位端からフェルールスプリング、ピンキーパ、及び前記フェルールを受け入れるように構成されたワンピースハウジングバックポストとを備え、
前記ピンキーパは、本体と前記本体から各々が延びている上部アーム及び下部アームとを含み、前記上部アーム及び下部アームは、前記段付き部分に隣接する前記フェルールを把持するように構成されたフェルール保持突起を含み、前記ピンキーパの本体は、ハウジングバックポスト内のピンキーパを保持するために前記ハウジングバックポストの嵌合開口と協働する変形可能な突起の少なくとも第１の対を含んでいる、
光コネクタ。
【請求項２８】
前記ハウジングバックポスト内のピンキーパを保持するために前記ハウジングバックポスト内の嵌合開口と協働する変形可能な突起の第２の対を更に備えている、請求項２７に記載の光コネクタ。
【請求項２９】
前記ハウジングバックポストの表面にスライド可能に保持された極性変更キーを更に備え、前記極性変更キーは、前記ハウジングバックポストに前記極性変更キーを保持するために変形可能なハウジングバックポスト突起と協働する開口を含んでいる、請求項２７に記載の光コネクタ。
【発明の詳細な説明】
【技術分野】
【０００１】
本発明は、２０１７年５月１８日に出願された米国仮特許出願第６２／５０８，３９０号、並びに、２０１８年５月１５日に出願された米国仮特許出願第１５／９７９，４７３号及び第１５／９７９，４８３号に対する優先権を主張し、これらの開示は、参照により本明細書に組み込まれる。
【０００２】
本発明は、一般に光コネクタに関し、より具体的には、順方向バイアス凸部を有する光コネクタに関する。
【背景技術】
【０００３】
企業及び個人消費者による帯域幅の需要は、指数関数的に増加し続けている。この需要を満たすべく、光ファイバが標準のケーブル媒体になっている。ファイバ光学は、直径が約２５０ミクロンであるガラス又はポリマーの個々の光ファイバに依存している。データセンタでは、１つ又は複数の光ファイバを含む個々の光ファイバケーブルを備えた高密度ケーブルを使用している。通常、これらの高密度環境では、単一のマルチファイバケーブルから複数の光ファイバを接続するためにＭＰＯ（マルチプッシュオン）コネクタが使用される。ファイバの数は、例えば、８、１６、３２、又は６４本である。ＭＰＯ光コネクタには、大きな横荷重がかかる。これらの横荷重は、ケーブルが下方向に曲げられることにより、機器の接続点で発生する。横荷重がかかった光ファイバケーブルが図２Ｂに示されている。
【０００４】
更に、現在の光コネクタは、通常、単一のコネクタに組み入れられた多くの小さな部品を使用している。従来技術のコネクタの一例が図１Ａ（分解図）及び図１Ｂ（組立図）に示されている。従来技術のコネクタ１０は、ダストキャップ１５と、内側ハウジング２５を囲み、コネクタの遠位（接続方向）端に向かって外側ハウジングを付勢するためにマイクロスプリング３０を用いる外側ハウジング２０とを含んでいる。近位端から順に、バックポスト５５、スプリング７０、ピンキーパ５０、ガイドピン４５、光フェルール３５、及びフェルールブーツ４０が、内側ハウジング２５に組み込まれている。クリンプリング６０及びブーツ６５は、光ケーブルの端部を覆って取り付けられている。多くの設計では、組み立て時に互いに「スナップフィット」する部品を使用している。例えば、図１Ａのコネクタでは、バックポスト５５は、内側ハウジング２５にスナップフィットしている。したがって、使用中の横荷重のストレスだけでなく、組み立てのストレスによっても、これらの部品が破損する可能性がある。更に、図２Ｂ（矢印は荷重方向を示す）にあるように、試験中にも部品に対して力学的ストレスがかかり、光コネクタの部品が故障する他の機会をもたらしている。
【０００５】
現在の光コネクタは、図１及び２Ａに示されているバックポストを備えている。バックポストは、図２に見られるように、領域７５において、横荷重の下で破損しやすい一対の脚を含んでいる。通常、バックポストは、ポリマーコンポーネントから製造され、コネクタハウジングにスナップフィットするように構成されている。バックポストの脚の破損は、図２Ｃの矢印で示すように、又は、バックポストの脚の角でバックポストのベースと出会う場所において、バックポストがハウジングにラッチするポイントで発生する可能性がある。コネクタが破損すると、光ファイバによって伝送されるトラフィックが中断される可能性があり、新しいコネクタをファイバの端に接続する必要があるが、これは時間がかかるプロセスである。したがって、当技術分野では、強い横荷重力に耐えることができる光コネクタが必要とされている。
【０００６】
光ファイバコネクタは、典型的には、図１Ａ及び４Ｂに示されているように、１対のハウジングマイクロスプリングによって順方向に弾力的にバイアスされる外側ハウジングを備えている。コネクタの製造は、本体と外部ハウジングの間に注意深く組み立てる必要があるこれらのスプリングの存在によって、複雑化している。更に、スプリングは、曲げられたり、隣接するスプリングコイルが互いに絡み合ったりすることによって、故障する場合がある。したがって、当技術分野においては、組み立てを容易にし、潜在的なコネクタ故障を低減するために、マイクロスプリングを含まない光ファイバコネクタに対するニーズが存在している。
【発明の概要】
【０００７】
１つ又は複数の光ファイバを収容するように構成されたフェルールを有する光コネクタが提供される。フェルールを保持するための内部ハウジングが提供され、この内部ハウジングは、接続方向の遠位端とケーブル方向の近位端とを有している。外側ハウジングは、内側ハウジングを少なくとも部分的に囲んでいる。外側ハウジングを内側ハウジングの遠位端に向かってバイアスさせるために、１つ又は複数の弾性順方向バイアス凸部が、外側ハウジング又は内側ハウジングの１つ又は複数から延びている。弾性順方向バイアス凸部は、内側ハウジング又は外側ハウジングと一体的に形成されていてもよい。
【図面の簡単な説明】
【０００８】
【図１】図１Ａは、従来技術の光コネクタの分解図である。図１Ｂは、従来技術の光コネクタの組立図である。
【０００９】
【図２】図２Ａは、従来技術の光コネクタバックポストを示している。図２Ｂは、従来技術の光コネクタバックポストを示している。図２Ｃは、従来技術の光コネクタバックポストを示している。
【００１０】
【図３】図３Ａは、一実施形態による光コネクタの組立図である。図３Ｂは、一実施形態による光コネクタの分解図である。
【００１１】
【図４Ａ】図４Ａは、図３Ａ及び図３Ｂの光コネクタの外側及び内側ハウジングの拡大図である。
【００１２】
【図４Ｂ】図４Ｂは、図１Ａ及び図１Ｂの従来技術の光コネクタの外側及び内側ハウジングの拡大図である。
【００１３】
【図４Ｃ】図４Ｃは、図４Ａの光コネクタの組立図である。
【００１４】
【図５−１】図５Ａは、更なる実施形態による順方向バイアス凸部を備えた光コネクタの組立図である。
【００１５】
【図５−２】図５Ｂは、更なる実施形態による順方向バイアス凸部を備えた光コネクタの組立図である。図５Ｃは、図５Ｂのコネクタの拡大図であり、ハウジングが引き込まれるにつれて２つの順方向バイアス凸部がアクティブになっているが互いに触れてはいない。図５Ｄは、図５Ｂのコネクタの更なる拡大図であり、外側ハウジングが完全に引き込まれている。
【００１６】
【図５−３】図５Ｅは、更なる実施形態による順方向バイアス凸部を備えた光コネクタの組立図である。図５Ｆは、ハウジングが引き込まれている際の図５Ｅのコネクタの拡大図であり、順方向バイアス凸部がアクティブになっているが互いに触れてはいない状態を示している。
【００１７】
【図６Ａ】図６Ａは、更なる実施形態による順方向バイアス凸部を備えた光コネクタを示している。
【００１８】
【図６Ｂ】図６Ｂは、更なる実施形態による順方向バイアス凸部を備えた光コネクタを示している。
【図６Ｃ】図６Ｃは、更なる実施形態による順方向バイアス凸部を備えた光コネクタを示している。
【００１９】
【図７Ａ】図７Ａは、更なる実施形態による順方向バイアス凸部を備えた光コネクタを示している。
【図７Ｂ】図７Ｂは、更なる実施形態による順方向バイアス凸部を備えた光コネクタを示している。
【図７Ｃ】図７Ｃは、更なる実施形態による順方向バイアス凸部を備えた光コネクタを示している。
【図７Ｄ】図７Ｄは、更なる実施形態による順方向バイアス凸部を備えた光コネクタを示している。
【００２０】
【図８Ａ】図８Ａは、更なる実施形態による順方向バイアス凸部を備えた光コネクタを示している。
【図８Ｂ】図８Ｂは、更なる実施形態による順方向バイアス凸部を備えた光コネクタを示している。
【００２１】
【図９Ａ】図９Ａは、図８Ａの光コネクタの断面図である。
【図９Ｂ】図９Ｂは、図８Ｂの光コネクタの断面図である。
【００２２】
【図１０Ａ】図１０Ａは、従来技術の光コネクタの分解図である。
【図１０Ｂ】図１０Ｂは、従来技術の光コネクタの側面図である。
【００２３】
【図１１Ａ】図１１Ａは、一実施形態による光コネクタの分解図である。
【図１１Ｂ】図１１Ｂは、一実施形態による光コネクタの側面図である。
【００２４】
【図１２】図１２は、光コネクタのハウジングバックポストの斜視図である。
【００２５】
【図１３−１】図１３Ａは、光コネクタのハウジングバックポストに挿入されているフェルールを示している。図１３Ｂは、光コネクタのハウジングバックポストに挿入されているフェルールを示している。
【図１３−２】図１３Ｃは、光コネクタのハウジングバックポストに挿入されているフェルールを示している。
【００２６】
【図１４−１】図１４Ａは、従来技術のピンキーパを示している。
【図１４−２】図１４Ｂは、一実施態様によるピンキーパの斜視図を示している。図１４Ｃは、一実施態様によるピンキーパの上面図を示している。図１４Ｄは、一実施態様によるピンキーパの側面図を示している。
【００２７】
【図１５】図１５は、フェルール及び図１４Ｂ乃至１４Ｄのピンキーパの部分斜視図を示している。
【００２８】
【図１６】図１６は、一実施形態による光コネクタの分解図を示している。
【００２９】
【図１７】図１７は、図１６のフェルール、クリップ、及びハウジングバックポストの部分断面の拡大側面図を示している。
【００３０】
【図１８】図１８Ａは、一実施形態によるピンキーパの斜視図を示している。図１８Ｂは、一実施形態によるピンキーパの斜視図を示している。図１８Ｃは、一実施形態によるピンキーパ／フェルールアセンブリの斜視図を示している。
【００３１】
【図１９】図１９Ａは、ハウジングバックポスト中に組み入れられた図１８Ｃのピンキーパ／フェルールアセンブリを示している。図１９Ｂは、ハウジングバックポスト中に組み入れられた図１８Ｃのピンキーパ／フェルールアセンブリを示している。
【００３２】
【図２０】図２０Ａは、本開示の任意の光コネクタで使用され得る極性変更キーの組み立て及び解体を示している。図２０Ｂは、本開示の任意の光コネクタで使用され得る極性変更キーの組み立て及び解体を示している。図２０Ｃは、本開示の任意の光コネクタで使用され得る極性変更キーの組み立て及び解体を示している。図２０Ｄは、本開示の任意の光コネクタで使用され得る極性変更キーの組み立て及び解体を示している。図２０Ｅは、本開示の任意の光コネクタで使用され得る極性変更キーの組み立て及び解体を示している。
【発明を実施するための形態】
【００３３】
本開示は、説明される特定のシステム、装置、及び方法に限定されず、これらは異なり得る。本明細書で使用される用語は、特定のバージョン又は実施形態のみを説明するためのものであり、発明の範囲を限定することを意図したものではない。
【００３４】
本明細書において、単数形「ａ」、「ａｎ」、及び「ｔｈｅ」は、文脈が明確にそうでないと示さない限り、複数への参照を含んでいる。別に定義されない限り、本明細書で使用される全ての技術用語及び科学用語は、当業者によって一般に理解されるのと同じ意味を有する。本開示に記載された実施形態の何れも、従来発明のためにそのような開示に先行する権利を与えられないことの承認として解釈されるべきではない。この文書で使用されている「ｃｏｍｐｒｉｓｉｎｇ」という用語は、「含むが、これに限定されない」ことを意味している。
【００３５】
以下の用語は、本出願の目的において、以下に記載される各々の意味を有するものとする。本明細書で使用される「コネクタ」は、第１のモジュール又はケーブルを第２のモジュール又はケーブルに接続するデバイス及び／又はそのコンポーネントを表す。コネクタは、光ファイバ伝送又は電気信号伝送用に構成することができる。コネクタは、現在既知又は今後開発される任意の適切なタイプとすることができ、例えば、フェルールコネクタ（ＦＣ）、ファイバ分散データインタフェイス（ＦＤＤＩ）コネクタ、ＬＣコネクタ、メカニカルトランスファー（ＭＴ）コネクタ、スクエア（ＳＣ）コネクタ、ＳＣデュプレックスコネクタ、ＭＰＯコネクタ、又はストレートチップ（ＳＴ）コネクタであってもよい。コネクタは、一般に、コネクタハウジング本体によって定義されてもよい。いくつかの実施形態において、ハウジング本体には、本明細書に記載の構成要素の何れか又は全てが組み込まれていてもよい。
【００３６】
「光ファイバケーブル」又は「光ケーブル」とは、光ビームで光信号を伝導するための１つ又は複数の光ファイバを含んだケーブルを指す。光ファイバは、ガラス、ガラス繊維、及びプラスチックなどの適切な透明材料で構成することができる。ケーブルには、光ファイバを囲むジャケット又はシース材料を含めることができる。更に、ケーブルは、ケーブルの一端又は両端のコネクタに接続することができる。本明細書で使用する「光ファイバ」という用語は、全てのタイプのシングルモード及びマルチモード光導波路、例えば、１つ又は複数のベア光ファイバ、被覆光ファイバ、ルースチューブ光ファイバ、タイトバッファ光ファイバ、リボン状光ファイバ、曲げ性能光ファイバ、曲げ非感受性光ファイバ、ナノ構造光ファイバ、又は光信号を送信するための他の任意の手段に適用されることが意図されている。
【００３７】
様々な実施形態の説明において、「遠位」という用語は、光コネクタと共に使用される場合、光コネクタの接続方向を表している。他方、「近位」という用語は、光コネクタのケーブル方向を表している。他の部品と関連して使用される場合、「近位」という用語は部品の取り付け点に最も近い場所を指し、「遠位」という用語は部品の取り付け点から最も遠い場所を指している。
【００３８】
図３Ａ及び図３Ｂは、それぞれ、一実施形態による光コネクタ３００の等角図及び分解図を示している。コネクタ３００は、フェルール３０１を保持するように構成されたワンピースハウジングバックポスト３１０を含むことができる。なお、本実施形態は、図１に示す従来のツーピースの内側ハウジングと別個のバックポストとの組み合わせでも使用することができる。本明細書及び請求の範囲では、「内側ハウジング」という表現を、一般的に、ワンピースハウジングバックポスト又はツーピースハウジングとバックポストとの組合せの何れかを含む意味で使用している。ここで、「内側」という表現は、外側ハウジングと「内側」ハウジングとを区別するために使用されており、外側ハウジングは内側ハウジングを少なくとも部分的に囲んでいる。フェルール３０１は、バイアス部材３０５によってハウジングの遠位（接続）端部に向かって付勢されるシングルファイバフェルール又はマルチファイバフェルールであってもよい。図ではマルチファイバＭＰＯコネクタとして描かれているが、シングルファイバコネクタ又は上述したコネクタの何れかであってもよい。
【００３９】
光コネクタ３００は、フェルール３０１内に延びる一対のガイドピン３０３ａ及び３０３ｂを受け入れるように構成されたピンリテイナ３０４を更に含むことができる。コネクタがオス、メス、又は再構成可能コネクタの何れとして構成されているかどうかに応じて、ガイドピンがフェルールを貫通するか、又は、フェルールが嵌合コネクタからのガイドピンを収容するための開口部を有していてもよい。この実施形態ではバネとして描かれているバイアス部材３０５は、ハウジング３１０とピンキーパ／リテイナ３０４との間に配置されて、ハウジング３１０内でフェルール３０１を遠位方向にバイアスさせることができる。このようなバイアスは、コネクタ３００がアダプタ又は他の接続部に嵌合されたときにフェルール端部のバイアスされた嵌合を提供し、それにより嵌合したフェルール端部を互いに接触状態に保持することができる。ファイバがフェルール３０１に延びる際のファイバ構成のために、任意部材としてフェルールブーツ３０７が設けられている。
【００４０】
使用中、光ファイバケーブルはコネクタ３００の近位端に取り付けられ、ケーブルブーツ３０７から延びている。光ファイバケーブルは、クリンプリング３０６又は任意の他のタイプの留置コネクタによってハウジング３１０に保持されてもよい。圧着リング３０６などのコネクタは、ケーブルの内側ハウジング及びケーブル被覆（例えばアラミド繊維被覆）に圧着されて、ケーブルが内側ハウジングから引き離されるのを防ぐことができる。ケーブルブーツ３０７は、圧着接続部の上に配置され、それを通じて延びる光ケーブルの保持を提供する。フェルールブーツは、ケーブルを接続方向から９０度の方向に向けるために横荷重を受ける可能性のあるコネクタのために、角度を含むように成形することもできる。
【００４１】
基本的な光コネクタには、様々な任意のアクセサリを追加することができる。内側ハウジング３１０上にスナップフィットする極性変更キー３０８を追加して、ユーザが光コネクタの極性を変更できるようにすることもできる。これについては、以下で図２０Ａ乃至２０Ｅに関連して詳細に説明する。コネクタが嵌合コネクタ又は他のデバイスに接続されていない場合、フェルールとその中に含まれる光ファイバを保護するために、コネクタの遠位端に適合する任意のダストキャップ３０９を追加することもできる。
【００４２】
コネクタ３００は、内側ハウジング３１０を少なくとも部分的に取り囲み、コネクタ３００の遠位端に隣接する内側ハウジング３１０（及び、任意にキー３０８）の周りにスライド可能に配置される、変位可能な外側ハウジング３２０を更に含んでいてもよい。
【００４３】
図４Ａ及び４Ｂは、本実施形態による光コネクタ３００と図１に示す従来技術のコネクタとの間の詳細な比較を提供する。図４Ａに示されているように、本実施形態の光コネクタ３００の外側ハウジング３２０は、外側ハウジングを内側ハウジング３１０の遠位端に向かってバイアスさせるために、外側ハウジングと一体に形成され且つ外側ハウジングから延びている弾性順方向バイアス凸部３２１を有することができる。一対のマイクロスプリング１０３ａ及び１０３ｂが外部ハウジング１２０を本体１１０の遠位端に向かってバイアスさせるために使用される図４Ｂに示されるような従来技術のコネクタとは対照的に、本実施形態による光コネクタ３００は、マイクロスプリングを含んでいない。それゆえ、組み立てが簡素化され、潜在的なコネクタ障害が減少する。
【００４４】
図４Ｃは、組み立て後の本実施形態に係る光コネクタ３００を示している。図４Ｃに示されているように、弾性順方向バイアス凸部３２１は、外側ハウジング３２０と一体に形成され、そこから突出する屈曲可能アームであってもよい。屈曲可能アーム３２１は、内側ハウジング３１０のフランジ３１１に接触するように構成されている。外側ハウジング３２０が内側ハウジング３１０に沿って近位（ケーブル）方向に引っ張られると、屈曲可能アーム３２１が曲げられる。すると、曲げられたアーム３２１は、外側ハウジングを内側ハウジングの遠位端に向かってバイアスさせる復元力を及ぼす。
【００４５】
図５Ａは、更なる実施形態による光コネクタを示している。図５Ａに示されているように、屈曲可能アーム５２１は、外側ハウジング５２０と一体的に形成され、外側ハウジング５２０から突出している。屈曲可能アーム５２１は、内側ハウジング５１０のフランジ５１１に接触するように構成されている。主要屈曲可能アーム５２１に加えて、光コネクタ５００は、外部ハウジング５２０から突出し且つ主要屈曲可能アーム５２１に作用して外部ハウジング５２０を内部ハウジング５１０の遠位端にバイアスさせる弾性力を高めるように構成されている補助屈曲可能アーム５２１ａを更に含んでいる。或いは、アーム５２１ａは、オフセットされ、それ自体がフランジ５１１（図示せず）に作用し、外側ハウジングを遠位方向にバイアスさせる弾性力を高めることもできる。
【００４６】
図５Ｂは、更なる実施形態による光コネクタを示している。図５Ｂの実施形態では、外側ハウジング５２０から突出し且つ外側ハウジング５２０を内側ハウジング５１０の遠位端に向かって独立してバイアスさせるように構成された２つの別個の屈曲可能アーム５２１及び５２１ａが存在している。即ち、屈曲可能アーム５２１及び５２１ａは、バイアスされていない位置又はバイアスされた位置の何れにおいても互いに接触しない。図５Ｃは、作動時の位置、即ち、外側ハウジングが近位方向に向かって引き込まれているときのアーム（５２１及び５２１ａ）の拡大図であり、アーム５２１及び５２１ａは圧縮される際にも互いに接触しない。図５Ｄは、外側ハウジングが完全に引き込まれ、アーム５２１及び５２１ａが完全に圧縮されている場合においても、アーム５２１と５２１ａとの間のギャップ５２１ｃが存在することを示す拡大図である。
【００４７】
図５Ｅは、外側ハウジングが引き込まれても接触せず、同様に外側ハウジング５２０を内側ハウジング５１０の遠位端に向かって独立してバイアスさせるように構成されている屈曲可能アーム（５２１及び５２１ａ）の別の実施形態を示している。図５Ｆは、外側ハウジングが近位方向に引き込まれたときのアーム５２１及び５２１ａ間のギャップ５２１ｃの拡大図である。本発明の範囲から逸脱することなく、１つ、２つ、又は３つ以上の屈曲可能アームを使用して、上記のようなバイアスを付与することができる。
【００４８】
なお、開示されたコネクタでは、３つ以上の屈曲可能アームを含む屈曲可能アームの多くの変形を使用することができる。また、外側コネクタを遠位方向にバイアスさせる追加の弾性力を提供するために、上記の図に示された同じ構成がコネクタの逆側にも存在し得る。
【００４９】
図６Ａ乃至６Ｃは、弾性順方向バイアス凸部が内側ハウジングから延びている別の実施形態による光コネクタ６００を示している。図６Ａに示されているように、光コネクタ６００は、内側ハウジングと一体に形成され且つ内側ハウジングから突出している屈曲可能アーム６１２を有する内側ハウジング６１０を含んでいる。図６Ｂに示されているように、内側ハウジング６１０の屈曲可能アーム６１２は、組み立て後に外側ハウジング６２０の端部の表面６２２に接触するように構成されている。図６Ｂにおいて、外側ハウジングは、近位（ケーブル）方向に向かって引き込まれ／引張られており、屈曲可能アーム６１２を圧縮している。図６Ｃに示されているように、屈曲可能アームは、外側ハウジング表面６２２に対して復元力を及ぼして、外側ハウジングを内側ハウジングの遠位端に向かってバイアスさせている。図６Ａ乃至６Ｃには示されていないが、図５Ａ乃至５Ｆについて示したのと同様の複数のアームを、外側ハウジングを遠位方向にバイアスさせるために内側ハウジングと共に使用することができる。
【００５０】
図７Ａ及び７Ｂは、更なる実施形態による光コネクタ７００を示している。図７Ａに示されているように、光コネクタ７００は、内側ハウジング７１０の近位端に延在する１つ又は複数のランプ７１３の形態の弾性順方向バイアス凸部を有している。ランプ７１３と協働するのは、外側ハウジング７２０の近位端に形成された１つ又は複数の屈曲ウイング７２３である。図７Ｂに示されているように、外側ハウジングが近位方向に引き込まれると、外側ハウジングの屈曲ウイング７２３は、内側ハウジングのランプ７１３によって押し開かれることにより、外側に延びる。図７Ｃは、外側ハウジングが順方向にバイアスされた位置にあるときの光コネクタ７００の断面図を示している。図７Ｄは、外側ハウジングが近位方向に向かって引き込まれたときの光コネクタ７００の断面図を示している。屈曲ウイング７２３は外向きに変形していることがわかる。この変形により、ランプ７１３に対する復元力が生じ、外側ハウジングが内側ハウジング７１０の遠位端に向かってバイアスされる。
【００５１】
図８Ａ及び８Ｂは、更なる実施形態による光コネクタ８００を示している。図８Ａに示されているように、光コネクタ８００は、内側ハウジング８１０の近位端に一体的に形成された１つ又は複数の屈曲くさび８１４の形態の弾性順方向バイアス凸部を含んでいてもよい。屈曲くさびと協働するのは、その近位端にある外側ハウジング８２０の剛性エッジ８２４である。図８Ｂに示されているように、外側ハウジングが近位方向に向かって引き込まれると、内側ハウジングの屈曲くさび８１４は、外側ハウジングの縁部８２４に接触することにより、内側に曲がる。
【００５２】
図９Ａは、外側ハウジングが順方向にバイアスされた位置にあるときの光コネクタ８００の断面図を示している。図９Ｂは、外側ハウジングが近位方向に引き込まれたときの光コネクタ８００の断面図を示している。屈曲くさび８１４は、内側ハウジングの内部に向かって内側に変形していることが分かる。この構成では、外側ハウジングを内側ハウジングの遠位端に向かってバイアスさせるために、外側ハウジングエッジ８２４に対して復元力が加えられる。
【００５３】
図１０Ａ及び１０Ｂは、本実施形態によるコネクタを示す図１１Ａ及び１１Ｂと比較して、別個のバックポスト及びハウジングを有する従来技術のコネクタを示している。図１０Ａに示されているように、別個のバックポストを有する従来技術のコネクタは、矢印方向で示されるように、近位（ケーブル）端方向から部品を組み立てる。これに対し、図１１Ａ（図３Ｂと実質的に類似）では、本実施態様のコネクタは、矢印方向で示されるように、遠位（接続方向）端から部品を組み立てる。図１０Ｂのツーピースハウジング／バックポスト構成は、図１１Ｂのワンピースハウジングバックポスト部材３１０に置き換えられる。
【００５４】
有利なことに、一体型のワンピースハウジングバックポストを形成することは、ポリマー、強化ポリマー、セラミック、及び金属を含む様々な材料からハウジングバックポストを製造することを可能にする。特に、ハウジングバックポストは、部品の強度を高めるために、ダイカスト金属から製造することができる。
【００５５】
ワンピースハウジングバックポストの拡大図が図１２に示されている。ワンピースハウジングバックポスト１２１０（ハウジングバックポスト３１０に実質的に類似）は、フェルールスプリング３０５及びフェルール３０１を受け入れるために、ほぼ中央に遠位開口部１２６０を含んでいる。第１の側壁１２８０は、ハウジングバックポスト１２１０の上部に沿って配置され、第２の側壁は、ハウジングバックポスト１２１０の底部に沿って配置される。第１の側壁には、側壁から内向きに延びてフェルールの対応する段付き部分と係合する１つ又は複数の弾性変形可能なフェルール保持凸部１２２０が配置されている。図１２の斜視図においては、凸部の外側部分のみが見えている；図１３Ａは、凸部１２２０の突出部分が最もよく見えるハウジング−バックポストの断面図を示している。ハウジングバックポストに切り欠きとして形成されることにより、凸部１２２０は、フェルールの挿入中に外向きに曲がり、以下の図１３Ａ乃至１３Ｃに関連して説明されるフェルールの段付き部分を収容することができる。
【００５６】
ワンピースハウジングバックポスト１２１０は、以下で更に詳細に議論される極性変更キーと係合させるためのガイド突起１２３０及び突起１２７０を更に含んでいる。隆起したほぼ円筒形の部分１２５０は、カラー１２４０から延びて、コネクタ組立中に圧着リング３０６を収容する。
【００５７】
図１３Ａ乃至１３Ｃを参照すると、凸部１２２０は、図１３Ａ（組み立てられていない状態）、図１３Ｂ（フェルールがハウジングバックポストに入るときの状態）、及び、図１３Ｃ（組み立てられたフェルールを含む状態）の断面図で明確に見ることができる。図１３Ｂに示されているように、フェルール段付き部１３２３が遠位端からハウジングバックポスト１２１０に挿入されると、凸部１２２０は外側に曲がる／変形する。フェルールがハウジングバックポスト１２１０固定された後、図１３Ｃに示されているように、凸部１２２０はその初期位置に戻る。これにより、フェルールがハウジングバックポストにフェルール３０１を保持するために段付き部１３２３に突き当たるときに、フェルールの前方への移動が抑止される。
【００５８】
ハウジングバックポスト１２１０内にフェルール３０１を保持することを更に支援するために、図１４Ｂ乃至１４Ｄのピンキーパを任意に用いることができる。図１４Ａに示す従来のピンキーパと比較して、図１４Ｂ乃至１４Ｄは、ピンキーパ本体と、それぞれが本体１４２０から延びている上部アーム１４３０及び下部アーム１４４０を含んでいる。図１５の組立断面図に見られるように、上部アーム１４３０及び下部アーム１４４０は、フェルール３０１をワンピースハウジングバックポスト１２１０内に保持し、フェルールが回転して凸部１２２０から分離するのを抑止している。
【００５９】
他の実施形態では、ワンピースハウジングバックポスト１６１０内の固定位置にフェルールを維持するために、保持クリップが提供されてもよい。図１６に示されているように、クリップ１６２０は、フェルールをハウジング／バックポスト内に保持するために、ハウジングバックポストの遠位端に配置されている。クリップ１６２０は、１つ又は複数の凸部１６３０を含んでいる。これらの凸部１６３０は、ハウジングバックポスト１２１０の１つ又は複数の側壁開口１６５０内に保持される。クリップ１６２０内において、フェルールをハウジングバックポスト１２１０内に保持するために、角度の付いた側壁１６４０（図１７に示す）が、フェルール段付き部１３２３に接触する遠位端から近位端に向かって狭くなっている。
【００６０】
図１８Ａ乃至１８Ｃ並びに図１９Ａ及び１９Ｂは、フェルールスプリング３０５、ピンキーパ１８００及びフェルール３０１を遠位端から受け入れるように構成されたワンピースハウジングバックポスト３１０内にフェルール３０１を保持するための更なる実施形態を示している。ピンキーパは、本体１８０５と、各々が本体１８０５から延びている上部及び下部アーム１８１０とを含んでいる（図１８Ａ及び１８Ｂ）。上部及び下部アーム１８１０は、フェルール保持凸部１８４０を含み（図１８Ａ乃至１８Ｃ）、段付き部１３２３に隣接する位置でフェルール３０１を把持するように構成されている。ピンキーパ本体１８０５は、ピンキーパ１８００の側部領域に配置された変形可能な凸部１８３０の第１の対を含んでいる。任意に、変形可能な突起１８３５の第２の対（図１８Ａ）がピンキーパ１８００の上部及び下部に配置されていてもよい。変形可能な凸部１８３０及び１８３５は、嵌合開口部１９３０及び１９３５（図１９Ａ及び１９Ｂ）をハウジングバックポスト１２１０に取り付けて、ピンキーパ１８００をハウジングバックポスト１２１０に保持する役割を担っている。ハウジングバックポスト開口部１９３０及び１９３５とピンキーパ１８００からの凸部１８３０及び１８３５とを係合することにより、フェルールスプリング３０５からのバネ力がハウジングバックポストによって吸収され、フェルール３０１のハウジングバックポスト１２１０からの押し出しが抑止される。
【００６１】
図２０Ａ乃至２０Ｅは、本開示の全ての実施形態で使用され得る取り外し可能な極性変更キー２０１０を示している。事前に終端処理されたファイバアセンブリを使用する結果として、並列光ファイバリンクの極性を維持する問題がますます重要になっている。極性は、光ネットワーク内の送信要素と受信要素との間の適切な連続性を維持している。コネクタがアダプタやトランシーバなどの受信要素と正しく嵌合することを確実にするために、通常、コネクタ及び受信要素の両方に、一般に１つだけの嵌合構成でコネクタと受信要素とを嵌合できるようにするキーイング機能が含まれている。本実施形態は、一方の極性構成から反対の極性の構成へのコネクタの変更を容易にするために、取り外し可能な極性変更キーを使用している。極性変更キー２０１０及びその嵌合要素は、米国特許第９，６５８，４０９号に開示されているものの何れかから選択することができ、その開示は参照により本明細書に組み込まれる。
【００６２】
図２０Ａに示されているように、極性変更キー２０１０は、開口部２０１２及び把持部２０１４を含んでいる。キーのユーザ操作を容易にするために、図示のように、把持部２０１４に１つ又は複数の隆起を形成することができる。ハウジングバックポストは、キー係合突起１２７０を含み、その上にキー２０１０を挿入することにより、キー開口部２０１２内において、キーと突起とを係合することができる。突起１２７０は、キー突起１２７０上でのキー２０１０の移動を容易にするために、ハウジングバックポスト１２１０から離れる方向に外向きに先細にされていてもよい。ガイド突起１２３０は、図２０Ａの矢印で示されているように、キーが遠位端から滑り込む際にキーを突起１２７０に向かって案内するために、ハウジングバックポスト上のキー２０１０の幅とほぼ同じ間隔を置いて配置されている。図２０Ｂに示されているように、キー２０１０は、ガイド突起１２３０の間をスライドして、キー突起１２７０と係合する（図２０Ｃ）。
【００６３】
図２０Ｄ及び２０Ｅの断面図に移ると、極性変更キー２０１０が図２０Ｄの突起１２７０に係合した状態が示されている。極性変更キー２０１０を取り外すために、図２０Ｅでは、キー突起１２７０が押し下げられ、キーは、図に矢印で示されているように、ハウジングバックポスト１２１０から遠位方向にスライドする。キー突起１２７０及びガイド突起１２３０は、ハウジングバックポスト１２１０の反対側の表面にも設けられている。コネクタの極性を逆にするためには、これらの反対側の表面の突起を介してキー２０１０が再挿入される。
【００６４】
上記の詳細な説明では、本明細書の一部を形成する添付図面を参照している。図面においては、通常、文脈からそうでないことが明示されていない限り、同様の記号は同様のコンポーネントを示している。詳細な説明、図面、及び特許請求の範囲に記載されている例示的な実施形態は、発明の外延を限定することを意図していない。本明細書に提示される主題の精神又は範囲から逸脱することなく、他の実施形態を使用することができ、他の変更を加えることができる。本明細書において一般的に記載され、図面に示されている本開示の態様は、多種多様な異なる構成で配置、置換、組み合わせ、分離、及び設計することができ、それらはすべて明示的に企図されている。
【００６５】
本開示は、様々な態様の例示として意図されており、本出願に記載される特定の実施形態に関して限定されるべきではない。当業者には明らかであるように、その精神及び範囲から逸脱することなく、多くの修正及び変更を行うことができる。本明細書に列挙されたものに加えて、本開示の範囲内の機能的に同等の方法及び装置は、前述の説明から当業者には明らかである。そのような修正及び変形は、添付の特許請求の範囲内に含まれることが意図されている。本開示は、添付の特許請求の範囲の条件によってのみ制限されるものであり、かかる特許請求の範囲が権利を有する均等物の全範囲も含まれる。本開示は、特定の方法、試薬、化合物、組成物、又は生物系に限定されず、これらは当然ながら変化し得る。また、本明細書で使用される用語は、特定の実施形態のみを説明するためのものであり、限定することを意図するものではない。
【００６６】
本明細書における実質的に任意の複数形及び／又は単数形の使用に関して、当業者は、文脈及び／又は応用に適切なように、複数から単数へ及び／又は単数から複数へと翻訳することができる。本明細書では、明確にするために、様々な単数形／複数形の置換を明示的に説明することがある。
【００６７】
一般に、本明細書及び特に添付の特許請求の範囲（例えば、添付の特許請求の範囲の本文）で使用される用語は、一般に「オープン」な用語として意図されている。例えば、「ｉｎｃｌｕｄｉｎｇ」という用語は「含むがこれに限定されない」と解釈されるべきであり、「ｈａｖｉｎｇ」という用語は「少なくとも有する」と解釈されるべきであり、「ｉｎｃｌｕｄｅｓ」という用語は「含むがこれに限定されない」と解釈される等である。様々な構成、方法、及びデバイスは、様々なコンポーネント又はステップを「ｃｏｍｐｒｉｓｉｎｇ」する（「含むが、これに限定されない」という意味として解釈される）という観点から説明されている。組成、方法、及びデバイスは、様々なコンポーネント又はステップを「ｃｏｎｓｉｓｔ  ｅｓｓｅｎｔｉａｌｌｙ  ｏｆ」又は「ｃｏｎｓｉｓｔ  ｏｆ」することもでき、そのような用語は、実質的に閉じたメンバーのグループを定義すると解釈されるべきである。更に、当業者は、特定の数の導入されたクレーム引用が意図される場合、そのような意図はクレームに明示的に列挙され、そのような記述がない場合にはそのような意図は存在しないことを更に理解するであろう。例えば、理解を助けるために、以下の添付のクレームには、クレームの特定事項を導入するために「少なくとも１つ」及び「１つ又は複数の」という導入フレーズの使用が含まれる場合がある。しかしながら、そのような表現の使用は、不定冠詞「ａ」又は「ａｎ」によるクレームの特定事項の導入が、そのような導入されたクレームの特定事項を含む特定のクレームを、そのような特定事項を１つだけ含む実施形態に限定することを意味すると解釈されるべきではない。これは、同じクレーム中に「１つ又は複数の」又は「少なくとも１つ」の導入フレーズと「ａ」又は「ａｎ」などの不定冠詞とが含まれる場合でも同様である（例えば、「ａ」及び／又は「ａｎ」は「少なくとも１つ」又は「１つ又は複数の」と解釈されるべきである）。クレームの特定事項を導入するために使用される定冠詞の使用についても同じことが当てはまる。更に、特定の数の導入されたクレームの特定事項が明示的に列挙されている場合でも、当業者は、そのような列挙が、少なくとも列挙された数を意味する（例えば、他の修飾なしで単に「２つの列挙」がされた場合、少なくとも２つの列挙、又は２つ又はそれ以上の列挙を意味する）と解釈されるべきであることを認識するであろう。また、「Ａ、Ｂ、及びＣの少なくとも１つ等」に類似した慣用句が使用される場合、一般に、このような構造は、当業者が慣例を理解するような意味で意図されている（例えば、「Ａ、Ｂ、及びＣの少なくとも１つを有するシステム」には、Ａだけ、Ｂだけ、Ｃだけ、ＡとＢとが一緒、ＡとＣとが一緒、ＢとＣとが一緒、及び／又はＡとＢとＣとが一緒の場合等が含まれるが、これらに限定されない）。「Ａ、Ｂ、又はＣの少なくとも１つ等」に類似した慣用句が使用される場合、一般に、そのような構造は、当業者が慣例を理解するような意味で意図されている（例えば、  「Ａ、Ｂ、又はＣの少なくとも１つを有するシステム」には、Ａのみ、Ｂのみ、Ｃのみ、ＡとＢとが一緒、ＡとＣとが一緒、ＢとＣとが一緒、及び／又はＡとＢと���とが一緒の場合等が含まれるが、これらに限定されない）。また、明細書、特許請求の範囲、図面の何れにせよ、２つ以上の代替用語を提示する任意の分離語及び／又は句は、用語のうちの１つ、用語のうちの何れか、又は用語の両方を含める可能性を企図すると理解されるべきであることを当業者は更に理解するであろう。例えば、フレーズ「Ａ又はＢ」は、「Ａ」又は「Ｂ」又は「Ａ及びＢ」の可能性を含むと理解される。
【００６８】
加えて、本開示の特徴又は態様がマーカッシュグループに関して説明される場合、当業者は、それにより、マーカッシュグループの個々のメンバー又はメンバーのサブグループに関しても本開示が説明されていることを認識するであろう。
【００６９】
当業者に理解されるように、書面による説明の提供などのあらゆる目的のために、本明細書に開示される全ての範囲は、全ての可能なサブレンジ及びそのサブレンジの組み合わせをも包含している。リストされた範囲は、少なくとも半分、３分の１、４分の１、５分の１、１０分の１などに分解された同じ範囲を充分に説明し、可能にするものとして容易に認識することができる。非限定的な例として、本明細書で説明される各範囲は、下位３分の１、中位３分の１、及び上位３分の１等に容易に分解することができる。当業者に理解されるように、「〜以下」及び「少なくとも」などの全ての用語は、列挙された数を含み、その後上述したサブ範囲に分割可能な範囲を指している。最後に、当業者に理解されるように、範囲には各々の個々のメンバーが含まれる。したがって、例えば、１〜３セルのグループは、１、２、又は３セルのグループを指す。同様に、例えば、１〜５個のセルを有するグループは、１、２、３、４、又は５個のセルを有するグループを指す。
【００７０】
上記で開示された並びにそれ以外の様々な特徴及び機能又はその代替物は、他の多くの異なるシステム又は用途に組み合わせることができる。様々な現在予見できない又は予期しない代替、修正、変形、又は改良が当業者によって続いて行われ得る。そして、それらの各々も、本明細書で開示された実施形態に含まれることが意図される。
【図１】
2020519961.tif 000003
【図２】
2020519961.tif 000004
【図３】
2020519961.tif 000005
【図４Ａ】
2020519961.tif 000006
【図４Ｂ】
2020519961.tif 000007
【図４Ｃ】
2020519961.tif 000008
【図５−１】
2020519961.tif 000009
【図５−２】
2020519961.tif 000010
【図５−３】
2020519961.tif 000011
【図６Ａ】
2020519961.tif 000012
【図６Ｂ】
2020519961.tif 000013
【図６Ｃ】
2020519961.tif 000014
【図７Ａ】
2020519961.tif 000015
【図７Ｂ】
2020519961.tif 000016
【図７Ｃ】
2020519961.tif 000017
【図７Ｄ】
2020519961.tif 000018
【図８Ａ】
2020519961.tif 000019
【図８Ｂ】
2020519961.tif 000020
【図９Ａ】
2020519961.tif 000021
【図９Ｂ】
2020519961.tif 000022
【図１０Ａ】
2020519961.tif 000023
【図１０Ｂ】
2020519961.tif 000024
【図１１Ａ】
2020519961.tif 000025
【図１１Ｂ】
2020519961.tif 000026
【図１２】
2020519961.tif 000027
【図１３−１】
2020519961.tif 000028
【図１３−２】
2020519961.tif 000029
【図１４−１】
2020519961.tif 000030
【図１４−２】
2020519961.tif 000031
【図１５】
2020519961.tif 000032
【図１６】
2020519961.tif 000033
【図１７】
2020519961.tif 000034
【図１８】
2020519961.tif 000035
【図１９】
2020519961.tif 000036
【図２０】
2020519961.tif 000037
【国際調査報告】
2020519961.tif 000038
2020519961.tif 000039